(57)【特許請求の範囲】
【請求項１】
合成繊維で形成された網で、内部に中詰め材を充填して使用する袋体であって、
前記袋体の開口部近傍に設けられ、前記開口部を開閉する開口部開閉ロープと、
前記袋体に取り付けられ、前記中詰め材を充填した前記袋体を吊り上げる吊り上げロープとを備え、
前記開口部開閉ロープの前記袋体の取り付け部位は、前記吊り上げロープの前記袋体の取り付け部位より前記開口部に近い側に位置し、
前記中詰め材を充填した前記袋体を前記吊り上げロープで吊り上げ、
この吊り上げた状態で前記開口部開閉ロープで前記開口部を閉じるようにする
ことを特徴とする袋体の開口部の結束方法。
【請求項２】
合成繊維で形成された網で、内部に中詰め材を充填して使用する袋体であって、
前記袋体の開口部近傍に設けられ、前記開口部を開閉する開口部開閉ロープと、
前記袋体に取り付けられ、前記中詰め材を充填した前記袋体を吊り上げる吊り上げロープとを備え、
前記開口部開閉ロープの前記袋体の取り付け部位は、前記吊り上げロープの前記袋体の取り付け部位より前記開口部に近い側に位置し、
前記中詰め材を充填した前記袋体を前記吊り上げロープで吊り上げ、
この吊り上げた状態で前記開口部開閉ロープで前記開口部を閉じると共に、前記開口部開閉ロープで前記吊り上げロープの周囲を旋回して巻き付け、巻き付け後、前記開口部開閉ロープが解けないように前記開口部開閉ロープを結束する
ことを特徴とする袋体の開口部の結束方法。
【発明の詳細な説明】
【技術分野】
【０００１】
本発明は、袋体の開口部の結束方法に係り、特に、施工現場での作業性の改善を図ることができる袋体の開口部の結束方法に関する。
【背景技術】
【０００２】
従来、河川、海域における護岸、防波堤等において、内部に中詰め材を充填した袋体が使用されている。
割り石、割栗石、コンクリート塊等の中詰め材は、袋体の開口部から充填し、中詰め材が所定量に達すると、袋体の開口部を閉じ、その後、吊り上げロープで所定位置へと移動するようにしている。
【発明の概要】
【発明が解決しようとする課題】
【０００３】
ところが、袋体の開口部を口縛りロープで閉じる際、口縛りロープに中詰め材の荷重がかかり、口縛りロープで引っ張っても、袋体の開口部をうまく閉じることができず、無理に閉じようとすれば、かなりの力を要するという問題点があった。
【０００４】
本発明は、前記問題点を考慮してなされたもので、施工現場での作業性の改善を図ることができる袋体の開口部の結束方法を提供することを目的とする。
【課題を解決するための手段】
【０００５】
請求項１記載の袋体の開口部の結束方法は、合成繊維で形成された網で、内部に中詰め材を充填して使用する袋体であって、前記袋体の開口部近傍に設けられ、前記開口部を開閉する開口部開閉ロープと、前記袋体に取り付けられ、前記中詰め材を充填した前記袋体を吊り上げる吊り上げロープとを備え、前記開口部開閉ロープの前記袋体の取り付け部位は、前記吊り上げロープの前記袋体の取り付け部位より前記開口部に近い側に位置し、前記中詰め材を充填した前記袋体を前記吊り上げロープで吊り上げ、この吊り上げた状態で前記開口部開閉ロープで前記開口部を閉じるようにするものである。
【０００６】
また、請求項２記載の袋体の開口部の結束方法は、合成繊維で形成された網で、内部に中詰め材を充填して使用する袋体であって、前記袋体の開口部近傍に設けられ、前記開口部を開閉する開口部開閉ロープと、前記袋体に取り付けられ、前記中詰め材を充填した前記袋体を吊り上げる吊り上げロープとを備え、前記開口部開閉ロープの前記袋体の取り付け部位は、前記吊り上げロープの前記袋体の取り付け部位より前記開口部に近い側に位置し、前記中詰め材を充填した前記袋体を前記吊り上げロープで吊り上げ、この吊り上げた状態で前記開口部開閉ロープで前記開口部を閉じると共に、前記開口部開閉ロープで前記吊り上げロープの周囲を旋回して巻き付け、巻き付け後、前記開口部開閉ロープが解けないように前記開口部開閉ロープを結束するものである。
【発明の効果】
【０００７】
請求項１記載の袋体の開口部の結束方法によれば、開口部開閉ロープの袋体の取り付け部位は、吊り上げロープの袋体の取り付け部位より開口部に近い側に位置しているため、中詰め材を充填した袋体を吊り上げロープで吊り上げ、この吊り上げた状態で開口部開閉ロープで開口部を閉じれば、吊り上げロープの内側に位置する開口部開閉ロープには、吊り上げロープに比較し、中詰め材の荷重がかからず、容易に開口部を閉じることができ、施工現場での作業性の改善を図ることができる。
【０００８】
また、請求項２記載の袋体の開口部の結束方法によれば、開口部開閉ロープの袋体の取り付け部位は、吊り上げロープの袋体の取り付け部位より開口部に近い側に位置しているため、中詰め材を充填した袋体を吊り上げロープで吊り上げ、この吊り上げた状態で開口部開閉ロープで開口部を閉じれば、吊り上げロープの内側に位置する開口部開閉ロープには、吊り上げロープに比較し、中詰め材の荷重がかからず、容易に開口部を閉じることができると共に、前記開口部開閉ロープで前記吊り上げロープの周囲を旋回して巻き付け、巻き付け後、前記開口部開閉ロープが解けないように前記開口部開閉ロープを結束して、施工現場での作業性の改善を図ることができる。
【図面の簡単な説明】
【０００９】
【図１】図１は、本発明の一実施例の袋体の開口部の結束方法によって結束された状態を示す概略的斜視図である。
【図２】図２は、図１の袋体に中詰め材を充填する状態を示す概略的斜視図である。
【図３】図３は、図２の袋体に中詰め材を充填し、吊り上げる前の状態を示す概略的斜視図である。
【図４】図４は、図２の袋体の開口部を形成する前の状態の概略的平面図である。
【図５】図５は、図４の５−５線による概略的断面図である。
【図６】図６は、図５の袋体の先端部を折り返し、図２の開口部を形成した状態を示す概略的断面図である。
【図７】図７は、図４の一部を拡大して示す概略的一部拡大図である。
【図８】図８は、図３の袋体を吊り上げ、開口部開閉ロープで袋体の開口部を閉じる前の状態を示す概略的図である。
【図９】図９は、図８の袋体の開口部を閉じた状態を示す概略的図である。
【発明を実施するための形態】
【００１０】
本発明の一実施例の袋体の開口部の結束方法を図面を参照して説明する。
図１に示すＦは，合成繊維で形成された網で、内部に中詰め材１を充填して使用する袋体である。中詰め材１を充填した袋体Ｆは、河川、海域、防波堤等において使用される。
【００１１】
図２に示す中詰め材１は、例えば、割り石、割栗石、コンクリート塊等である。２は、袋体Ｆの開口部ＦＡ近傍に設けられ、開口部ＦＡを開閉する開口部開閉ロープである。開口部開閉ロープ２は、図７に示すように、例えば、袋体Ｆの網の目を一つ飛ばして、開口部ＦＡを環状に形成すると共に、開口部ＦＡの外方へと向かう構成となっている。
なお、開口部ＦＡは、例えば、図４に示す網の先端部Ｆ１を折り返して形成する（図２、図４〜図６参照）。
【００１２】
また、図３に示す３は吊り上げロープで、吊り上げロープ３は、袋体Ｆに取り付けられ、中詰め材１を充填した袋体Ｆを吊り上げるものである。    
開口部開閉ロープ２の袋体１の取り付け部位Ａは、図３及び図４に示すように、吊り上げロープ３の袋体１の取り付け部位Ｂより開口部ＦＡに近い側に位置している。
【００１３】
従って、図２の状態で、開口部ＦＡから中詰め材１を充填し、中詰め材１が所定量に達すると、中詰め材１を充填した袋体Ｆを吊り上げロープ３で吊り上げ、具体的には、吊り上げロープ３は、例えば、図示しないバックホウ等に取り付けられた部材の先端のフック１０に引っ掛けられて持ち上げられるようになっている（図３、図８及び図９参照）。
この吊り上げた状態で、開口部開閉ロープ２を図７及び図８の矢印方向に引っ張って、開口部開閉ロープ２で開口部ＦＡを閉じると共に、開口部開閉ロープ２で吊り上げロープ３の周囲を旋回して巻き付け（図９参照）、巻き付け後、開口部開閉ロープ２が解けないように開口部開閉ロープ２を結束する（図１参照）。
【００１４】
従って、上述した袋体の開口部の結束方法によれば、開口部開閉ロープ２の袋体１の取り付け部位Ａは、吊り上げロープ３の袋体１の取り付け部位Ｂより開口部ＦＡに近い側に位置しているため、中詰め材１を充填した袋体Ｆを吊り上げロープ３で吊り上げ、この吊り上げた状態で開口部開閉ロープ２で開口部ＦＡを閉じれば、吊り上げロープ３の内側に位置する開口部開閉ロープ２には、吊り上げロープ３に比較し、中詰め材１の荷重がかからず、開口部ＦＡを容易に閉じることができ、しかも、開口部開閉ロープ２で吊り上げロープ３の周囲を旋回して巻き付け、巻き付け後、開口部開閉ロープ２が解けないように開口部開閉ロープ２を結束して、施工現場での作業性の改善を図ることができる。
【符号の説明】
【００１５】
Ｆ      袋体
ＦＡ    開口部
Ａ      開口部開閉ロープの袋体の取り付け部位
Ｂ      吊り上げロープの袋体の取り付け部位
１      中詰め材
２      開口部開閉ロープ
３      吊り上げロープ
【図１】
0005576783.tif 000002
【図２】
0005576783.tif 000003
【図３】
0005576783.tif 000004
【図４】
0005576783.tif 000005
【図５】
0005576783.tif 000006
【図６】
0005576783.tif 000007
【図７】
0005576783.tif 000008
【図８】
0005576783.tif 000009
【図９】
0005576783.tif 000010